【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
液体を塗布するための塗布具であって、該塗布具は、
近位端と遠位端とを有する細長い中空体と、
前記中空体の遠位端に設けられた塗布パッドと、
前記中空体内に挿入されるアクチュエータ・スリーブであって、前記アクチュエータ・スリーブが、遠位方向に突出する少なくとも１つの長手方向突出部を含んだ、前記アクチュエータ・スリーブを含み、
前記アクチュエータ・スリーブが前記中空体内を遠位方向に移動するとき、前記少なくとも一つの長手方向突出部が、前記中空体の中に、蓋部を遠位にして、かつ、遠位方向および周方向における移動が阻止されるようにして配置される、液体収容容器の前記蓋部に対して遠位方向に作用し、前記蓋部を開放して、前記容器から前記塗布パッドに前記液体を放出することを特徴とする塗布具。
【請求項２】
前記蓋部には、前記中空体の内壁に向って突出する少なくとも一つの突出要素が設けられ、前記アクチュエータ・スリーブの前記少なくとも１つの長手方向突出部が、前記少なくとも一つの突出要素に作用して、前記蓋部を開放することを特徴とする請求項１に記載の塗布具。
【請求項３】
前記アクチュエータ・スリーブの前記少なくとも１つの長手方向突出部が、前記蓋部の前記少なくとも一つの突出要素を遠位方向に押すことにより、前記蓋部を開放することを特徴とする請求項２に記載の塗布具。
【請求項４】
前記アクチュエータ・スリーブが、長さの等しくない２つの長手方向突出部を含み、前記アクチュエータ・スリーブが長手方向に移動する時、前記長手方向突出部が前記蓋部をそれぞれ押して前記容器から外すことを特徴とする、請求項３に記載の塗布具。
【請求項５】
前記長手方向突出部には、前記蓋部の突出要素と相互作用する凹部が形成されていることを特徴とする請求項４に記載の塗布具。
【請求項６】
前記アクチュエータ・スリーブが、長さの等しい２つの長手方向突出部を含み、前記アクチュエータ・スリーブが長手方向に移動する時、前記長手方向突出部が前記蓋部をそれぞれ押して前記容器から外すことを特徴とする、請求項３に記載の塗布具。
【請求項７】
前記長手方向突出部には、前記蓋部の突出要素と相互作用する凹部が形成されていることを特徴とする請求項６に記載の塗布具。
【請求項８】
前記アクチュエータ・スリーブが、長さの等しくない２つの長手方向突出部を含み、長い方の長手方向突出部の先端が、一つの突出要素と相互作用することを特徴とする請求項２に記載の塗布具。
【請求項９】
前記アクチュエータ・スリーブが、長さの等しくない２つの長手方向突出部を含み、前記アクチュエータ・スリーブの長い方の長手方向突出部は、内向きに突出する長手方向リブを含み、該長手方向リブが、一つの突出要素と相互作用することを特徴とする請求項２に記載の塗布具。
【請求項１０】
前記液体収容容器の本体部と前記蓋部とは、破壊可能部を有する頸部を介して、一体に形成されており、前記アクチュエータ・スリーブの長手方向突出部が、前記蓋部の突出要素を押すことにより、前記破壊可能部が壊れることを特徴とする請求項２〜９のいずれかに記載の塗布具。
【請求項１１】
前記破壊可能部が前記頸部の全周に設けられることを特徴とする請求項１０に記載の塗布具。
【請求項１２】
前記破壊可能部が前記頸部の一部に設けられることを特徴とする請求項１０に記載の塗布具。
【請求項１３】
前記液体収容容器は、前記破壊可能部の反対側に配置され、前記破壊可能部が破損した後で、前記本体部と前記蓋部との間の接続を維持して前記蓋部を素早く開けることを可能にするように構成された、ヒンジ要素を含むことを特徴とする請求項１０に記載の塗布具。
【請求項１４】
前記アクチュエータ・スリーブの前記少なくとも一つの長手方向突出部が、前記蓋部の少なくとも一つの突出要素に周方向の力を及ぼし、前記蓋部を回転させることにより、前記蓋部を開放することを特徴とする請求項２に記載の塗布具。
【請求項１５】
前記アクチュエータ・スリーブの前記少なくとも一つの長手方向突出部には傾斜面が設けられ、当該傾斜面が、前記突出要素に作用して、前記蓋部を回転させることを特徴とする請求項１４に記載の塗布具。
【請求項１６】
前記アクチュエータ・スリーブが、２つの長手方向突出部を含み、一方の長手方向突出部には傾斜面が、また、他方の長手方向突出部には、前記蓋部の突出要素と相互作用して、前記蓋部の逆回転を防止するための歯が設けられていることを特徴とする請求項１４に記載の塗布具。
【請求項１７】
前記中空体が、前記中空体の近位端に、前記中空体内に前記アクチュエータ・スリーブを固定するように構成された１つ以上のリブ、ボス、又は戻り止めを含む１つ以上の内部制限機構を含むことを特徴とする、請求項１に記載の塗布具。
【請求項１８】
前記中空体は、前記中空体の前記外壁の前記内面上に配置された少なくとも１つの長手方向内部ガイドリブを含み、該長手方向内部ガイドリブは、前記容器が中空体内に配置されるときに前記容器の向きを合わせ、且つ案内するように構成されたことを特徴とする、請求項１７に記載の塗布具。
【請求項１９】
前記少なくとも１つの長手方向内部ガイドリブが、互いに離間した２つの実質的に平行なガイドリブを含み、
前記容器が、前記離間された実質的に平行なガイドリブ内に嵌り且つ前記ガイドリブによって案内されるサイズ及び形状を有する外向き突起部を含むことを特徴とする、
請求項１８に記載の塗布具。
【請求項２０】
前記中空体が、前記ガイドリブと実質的に平行であり前記ガイドリブの間に配置された１つ以上の長手方向止めリブをさらに含み、
前記ガイドリブの各々が近位端と遠位端とを有し、前記止めリブの各々が近位端と遠位端とを有し、前記止めリブの各々の前記近位端が、前記ガイドリブの前記近位端に対して遠位に位置しており、前記容器の前記外向き突起部の遠位端と相互作用して、前記中空体内での遠位方向への前記容器の長手方向の移動を阻止するように構成されていることを特徴とする、請求項１９に記載の塗布具。
【請求項２１】
前記中空体が、１つ以上の容器保持タブを含み、前記容器が前記中空体の中に遠位方向に押されると、前記保持タブが前記容器の近位端よりも上方で内向きに突出して、前記容器が近位方向に移動するのを防止することを特徴とする、請求項１７に記載の塗布具。
【請求項２２】
前記中空体が、前記アクチュエータ・スリーブの長手方向の移動を止めるように構成された内向きに突出する突起部を含み、前記内向きに突出する突起部は、前記アクチュエータ・スリーブの作動によって前記容器から前記蓋部が壊れて外れた後に、前記容器の前記蓋部の向きを変えるように構成されることを特徴とする、請求項１に記載の塗布具。
【請求項２３】
前記アクチュエータ・スリーブの近位端が、前記中空体の前記外壁の前記内面と相互作用して、前記中空体からの前記液体の漏れを防ぐように構成されたシール機構を含むことを特徴とする、請求項１に記載の塗布具。
【請求項２４】
前記アクチュエータ・スリーブが、前記アクチュエータ・スリーブの近位端の付近に周方向に配置された部分リブを含み、前記部分リブが、前記中空体の内面にある対応する制限リブと相互作用するように構成されることを特徴とする、請求項１に記載の塗布具。
【請求項２５】
前記アクチュエータ・スリーブが、前記アクチュエータ・スリーブの遠位端から前記アクチュエータ・スリーブの近位端の方に延びる少なくとも１つのノッチを含み、
前記容器が、前記アクチュエータ・スリーブの前記ノッチ内に嵌るサイズ及び形状を有する外向き突起部を含み、前記ノッチが、前記容器の対応する外向き突起部と相互作用するように構成されることを特徴とする、請求項１に記載の塗布具。
【請求項２６】
前記少なくとも１つの長手方向突出部が、作動中の前記少なくとも１つの長手方向突出部の前記遠位端が半径方向外向きに変形するのを防止する１つ以上の機構機能部を前記遠位端において含むことを特徴とする、請求項１に記載の塗布具。
【請求項２７】
近位端と遠位端とを有し、前記中空体の外壁の内面と前記容器の外壁との間に設置されるように構成されたアクチュエータ・スリーブであって、前記中空体内で前記アクチュエータ・スリーブを長手方向に移動させると、前記容器から前記液体を放出して、前記液体が前記塗布パッドに流れることを可能にするように、なっているアクチュエータ・スリーブを含み、
前記容器は平坦面を含み、前記アクチュエータ・スリーブが、容器の平坦面に対応する、比較的肉厚の補強部を含むことを特徴とする、請求項１に記載の塗布具。
【請求項２８】
前記中空体の外壁に付着されるように構成されたラベルをさらに含み、前記ラベルによって覆われたとき、通気チャネル（channels）は、直立の使用中の姿勢にあるとき、前記蛇行路を通して前記中空体内部に及び／又は前記中空体内部から空気を通気できる１つ以上の蛇行路を形成し、前記中空体が地面と実質的に平行な向きの状態で前記塗布具を平坦面上に置くとき、液体の流出を抑制することを特徴とする、請求項１に記載の塗布具。
【請求項２９】
液体を塗布するための塗布装置であって、該塗布装置は、
近位端と遠位端とを有する細長い中空体と、
前記中空体の遠位端に設けられた塗布パッドと、
前記中空体内に挿入されるアクチュエータ・スリーブであって、前記アクチュエータ・スリーブが、遠位方向に突出する少なくとも１つの長手方向突出部を含んだ、前記アクチュエータ・スリーブを含む塗布具と、
前記中空体の中に蓋部を遠位にして、かつ、遠位方向および周方向における移動が阻止されるようにして配置される液体収容容器を含み、
前記アクチュエータ・スリーブが前記中空体内を遠位方向に移動すると、前記少なくとも一つの長手方向突出部が、前記液体収容容器の前記蓋部に対して遠位方向に作用し、前記蓋部を開放して  前記容器から前記塗布パッドに前記液体を放出することを特徴とする塗布装置。
【請求項３０】
前記アクチュエータ・スリーブの前記少なくとも１つの長手方向突出部が、前記蓋部の少なくとも一つの突出要素を遠位方向に押すことにより、前記蓋部を開放することを特徴とする請求項２９に記載の塗布装置。
【請求項３１】
前記アクチュエータ・スリーブが、長さの等しくない２つの長手方向突出部を含み、前記アクチュエータ・スリーブが長手方向に移動する時、前記長手方向突出部が前記蓋部をそれぞれ押して前記容器から外すことを特徴とする、請求項３０に記載の塗布装置。
【請求項３２】
前記アクチュエータ・スリーブが、長さの等しい２つの長手方向突出部を含み、前記アクチュエータ・スリーブが長手方向に移動する時、前記長手方向突出部が前記蓋部をそれぞれ押して前記容器から外すことを特徴とする、請求項３０に記載の塗布装置。
【請求項３３】
前記アクチュエータ・スリーブが、長さの等しくない２つの長手方向突出部を含み、長い方の長手方向突出部の先端が、一つの突出要素と相互作用することを特徴とする請求項３０に記載の塗布装置。
【請求項３４】
前記アクチュエータ・スリーブが、長さの等しくない２つの長手方向突出部を含み、前記アクチュエータ・スリーブの長い方の長手方向突出部は、内向きに突出する長手方向リブを含み、該長手方向リブが、一つの突出要素と相互作用することを特徴とする請求項２９に記載の塗布装置。
【請求項３５】
前記アクチュエータ・スリーブの前記少なくとも１つの長手方向突出部が、前記蓋部の少なくとも一つの突出要素に周方向の力を及ぼし、前記蓋部を回転させることにより、前記蓋部を開放することを特徴とする請求項２９に記載の塗布装置。
【請求項３６】
前記アクチュエータ・スリーブの前記少なくとも一つの長手方向突出部には傾斜面が設けられ、当該傾斜面が、前記突出要素に作用して、前記蓋部を回転させることを特徴とする請求項３５に記載の塗布装置。
【請求項３７】
前記アクチュエータ・スリーブが、２つの長手方向突出部を含み、一方の長手方向突出部には傾斜面が、また、他方の長手方向突出部には、前記蓋部の突出要素と相互作用して、前記蓋部の逆回転を防止するための歯が設けられていることを特徴とする請求項３５に記載の塗布装置。
【請求項３８】
液体を塗布するための塗布具に配置される液体収容容器であって、前記塗布具は、
近位端と遠位端とを有する細長い中空体と、
前記中空体の遠位端に設けられた塗布パッドと、
前記中空体内に挿入されるアクチュエータ・スリーブであって、前記アクチュエータ・スリーブが、遠位方向に突出する少なくとも１つの長手方向突出部を含んだ、前記アクチュエータ・スリーブを含んでおり、
前記液体収容容器は、前記中空体の中に蓋部を遠位にし、かつ、遠位方向および周方向における移動が阻止されて配置されるように構成され、
前記液体収容容器は、前記アクチュエータ・スリーブが前記中空体内を遠位方向に移動するとき、前記少なくとも一つの長手方向突出部が、前記蓋部に対して遠位方向に作用することで、前記蓋部が開放されて、前記塗布パッドに前記液体を放出するように形成されていることを特徴とする液体収容容器。
【請求項３９】
前記容器の近位端に配置された通気機構を更に含むことを特徴とする、請求項３８に記載の液体収容容器。
【請求項４０】
前記通気機構が、前記アクチュエータ・スリーブが長手方向に移動する時、前記アクチュエータ・スリーブ上の対応する穿刺要素によって容易に穴を開けることができる材料の薄肉の材料部分を含むことを特徴とする、請求項３９に記載の液体収容容器。
【請求項４１】
前記穿刺要素がスパイクを含むことを特徴とする、請求項４０に記載の液体収容容器。
【請求項４２】
前記液体収容容器が、本体部と、蓋部と、前記本体部と前記蓋部との間の頸部とを含み、
前記頸部は、
破壊可能部と、
前記破壊可能部の反対側に配置され、前記破壊可能部が破損した後で、前記本体部と前記蓋部との間の接続を維持して前記蓋部を素早く開けることを可能にするように構成された、ヒンジ要素とを含むことを特徴とする、
請求項３８に記載の液体収容容器。
【請求項４３】
前記液体収容容器は、前記蓋部を備えた吹き込み充填密封容器に形成されていることを特徴とする請求項３８に記載の液体収容容器。
【請求項４４】
液体を塗布するための塗布具に結合される塗布パッドであって、前記塗布具は、
近位端と遠位端とを有する細長い中空体と、
前記中空体内に挿入されるアクチュエータ・スリーブであって、前記アクチュエータ・スリーブが、遠位方向に突出する少なくとも１つの長手方向突出部を含んだ、前記アクチュエータ・スリーブを含んでおり、
前記塗布パッドは、前記中空体の遠位端に結合されるように構成され、
前記塗布パッドは、前記中空体内を遠位方向に移動する、前記アクチュエータ・スリーブの前記少なくとも一つの長手方向突出部が、前記中空体内に配置される液体収容容器の蓋部に対して遠位方向に作用して前記蓋部を開放すると、前記液体収容容器から放出された液体を吸収するように構成されていることを特徴とする塗布パッド。